(57)【特許請求の範囲】
【請求項１】
少なくとも遮蔽導体を含むケーブルと、
第一アセンブリ端部に取付けられた嵌合コネクタと、
前記ケーブルと前記嵌合コネクタの間に長手方向に配置された細長いストレインリリーフグロメットとを備え、前記ストレインリリーフグロメットは、
圧縮可能な素材で形成されたグロメット本体を備え、当該本体は、前記嵌合コネクタ近くに配置された第一グロメット端末部と、前記嵌合コネクタから離れて配置された第二グロメット端末部とを備え、
前記ストレインリリーフグロメットはさらに、
少なくとも前記第一グロメット端末部を貫通して長手方向に延びる第一導体路と、
少なくとも前記第二グロメット端末部を貫通して長手方向に延びる第二導体路と、を備え
前記第一導体路及び前記第二導体路のうち少なくとも一つは、対応する前記第一グロメット端末部及び前記第二グロメット端末部の半径方向中心に配置される、
ケーブルアセンブリ。
【請求項２】
前記ストレインリリーフグロメットはさらに、
少なくとも前記第一グロメット端末部を貫通して長手方向に延び、かつ前記第一導体路への半径方向のアクセスを提供する第一スリットを備える、請求項１に記載のアセンブリ。
【請求項３】
前記ストレインリリーフグロメットはさらに、
前記第一スリットと周方向で整列し、少なくとも前記第二グロメット端末部を貫通して長手方向に延び、かつ前記第二導体路への半径方向のアクセスを提供する第二スリットを備える、請求項２に記載のアセンブリ。
【請求項４】
前記グロメット本体は、前記第一及び第二グロメット端末部間に長手方向に配置された縮径グロメット部も備える、請求項１に記載のアセンブリ。
【請求項５】
第一導体部が、前記第一導体路に収納され、
第二導体部が、前記第二導体路に収納され、
巻き導体部が、前記縮径グロメット部の周りに少なくとも一回巻かれた、請求項４に記載のアセンブリ。
【請求項６】
前記縮径グロメット部の外部表面に、前記第一及び第二グロメット端末部間で前記巻き導体部を保持するための螺旋状凹部を少なくとも一つ備える、請求項５に記載のアセンブリ。
【請求項７】
圧縮可能な素材で形成され、かつ第一グロメット端末部及び第二グロメット端末部を含む本体と、
少なくとも前記第一グロメット端末部を貫通して長手方向に延びる第一導体路と、
少なくとも前記第二グロメット端末部を貫通して長手方向に延びる第二導体路とを備え、
前記第一導体路及び前記第二導体路のうち少なくとも一つは、対応する前記第一グロメット端末部及び前記第二グロメット端末部の半径方向中心に配置され、
前記第一グロメット端末部を貫通して長手方向に延び、かつ前記第一導体路への半径方向のアクセスを提供する第一スリットと、
前記第二グロメット端末部を貫通して長手方向に延び、かつ前記第二導体路への半径方向のアクセスを提供する第二スリットとをさらに備える、グロメット。
【請求項８】
前記本体は、前記第一及び第二グロメット端末部間に長手方向に配置された縮径グロメット部も備える、請求項７に記載のグロメット。
【請求項９】
前記縮径グロメット部の外部表面に、前記第一及び第二グロメット端末部間で導体を保持するための螺旋状凹部を少なくとも一つ備える、請求項８に記載のグロメット。
【請求項１０】
前記第一導体路に収納された第一遮蔽導体部と、
前記第二導体路に収納された第二遮蔽導体部と、
前記縮径グロメット部の周りに少なくとも一回巻かれた巻き遮蔽導体部とをさらに含む、請求項８に記載のグロメット。
【発明の詳細な説明】
【技術分野】
【０００１】
本開示は概して同軸遮蔽ワイヤに関し、特にそのようなワイヤのストレインリリーフに関する。
【背景技術】
【０００２】
同軸遮蔽ワイヤは、導体が受ける張力の影響を軽減し、端部コネクタから導体が引き抜かれることを防止する機械的ストレインリリーフを必要とする。導体にかかる張力は、導体の電気接続及び導体の性能特性を変え得る。
【発明の概要】
【発明が解決しようとする課題】
【０００３】
一般の機械的ストレインリリーフ機構または方法は、（ａ）軸方向のワイヤ摩擦圧縮フェルールもしくはナット、または（ｂ）補強部に接するワイヤの結び目もしくはループに基づいている。しかしながら、ワイヤの直径が小さくなるほど、ワイヤの信号品質もしくは抵抗がより重要になるほど、または作動温度範囲が広がるほど、これらの方法の実行可能性は低くなる。
【課題を解決するための手段】
【０００４】
ケーブルアセンブリの実施形態は、少なくとも遮蔽導体を含むケーブルと、第一アセンブリ端部に取付けられた嵌合コネクタと、ケーブルと嵌合コネクタの間に長手方向に配置された細長いストレインリリーフグロメットとを備える。ストレインリリーフグロメットは、圧縮可能な素材で形成されたグロメット本体を備える。グロメット本体は、嵌合コネクタ近くに配置された第一グロメット端末部と、嵌合コネクタから離れて配置された第二グロメット端末部とを備える。
【０００５】
グロメットの実施形態は、圧縮可能な素材で形成されたグロメット本体を備える。第一導体路は、少なくとも第一グロメット端末部を貫通して長手方向に延びる。第二導体路は、少なくとも第二グロメット端末部を貫通して長手方向に延びる。
【図面の簡単な説明】
【０００６】
【図１】嵌合コネクタを有する同軸ケーブルの斜視図である。
【図２】第一例示的実施形態のストレインリリーフグロメットが嵌合コネクタに隣接する、図１で示される同軸ケーブルの断面図である。
【図３】図２で示されるストレインリリーフグロメットの詳細図である。
【図４】第二例示的実施形態のストレインリリーフグロメットが嵌合コネクタに隣接する、同軸ケーブルの説明図である。
【図５】図４で示されるストレインリリーフグロメットの断面図である。
【発明を実施するための形態】
【０００７】
一般に本開示は、圧縮可能エラストマグロメットの周りに様々な形で巻かれたワイヤ／導体を含むストレインリリーフ機構を説明する。ストレインリリーフグロメットの例示的実施形態は、同軸アセンブリの端部（複数可）でよく起こる大部分の曲げ圧縮応力を吸収しながら、追加的な長さの導体を組込む様々な通路及びスリットを有する。グロメットは例えば、縮径中心部、及び／またはワイヤを収納する奇数分の長手方向通路を備え得る。導体内の張力がグロメットを圧縮し、これによって導体のさらなる移動またはずれが制限されるように、導体はグロメットの周りに巻かれる。
【０００８】
図１は一般のケーブルアセンブリ１０を示し、ケーブルアセンブリ１０は、中心部１２と、アセンブリ１０の第一端部１６に取付けられた任意の嵌合コネクタ１４とを備える。第二嵌合コネクタ１４も任意で第二アセンブリ端部１８に取付け可能である。ケーブルアセンブリ１０はまた、ストレインリリーフグロメット（複数可）２２及びケーブル導体２４を収容し得る外側スリーブ２０も備える。遮蔽されるかまたは他の構造の一部として提供され得る導体２４は、第一端部１６から第二端部１８まで、第一端部１６の嵌合コネクタ１４を通過しストレインリリーフグロメット２２を通過して、ケーブルアセンブリ１０を貫通して延び得る。第二ストレインリリーフグロメット（図１に図示せず）は、第二アセンブリ端部１８における嵌合コネクタ１４近くに配置され得る。
【０００９】
図２は、ケーブルアセンブリ１０の切欠き説明図を示す。当実施例において、中心部１２は、ストレインリリーフグロメット２２及び遮蔽ケーブル／導体２４を包み込む外側スリーブ２０を備える。特定の事例において、ケーブルアセンブリ１０は、単一遮蔽ワイヤ（すなわち導体２４）のみを含むが、他の事例では、導体２４は少なくとも同軸ケーブルまたは複数導体を含む他のケーブルの一部を成す。構成に応じて、導体２４は、被覆または導体２４の外に追加される他の非導電性表面により遮蔽され得る。
【００１０】
ケーブルの正確な構成に関係なく、導体２４は少なくとも一つの可撓性のある金属ワイヤを含み、嵌合コネクタ１４（図１に図示）より先へ延びる端部を除き遮蔽され得る。以降の図面にてその詳細が示されるストレインリリーフグロメット２２は、（時に）比較的細い導体２４に加わる張力及び曲げ応力を低減するように導体２４が巻きつけられるように構成される。このような応力は他では、ケーブルアセンブリの取付端部または装着端部においてよく起こる。
【００１１】
例示的実施形態は時に、同軸ケーブル（例えば、内部導体から遮蔽される外部導体を含む同軸ケーブル）を含むケーブルアセンブリに関して説明されることに注意されたい。しかしながら、遮蔽内部／中心導体のみを有し、外部導体を有さないケーブルアセンブリ等、少なくとも一つの導体を有する任意の種類のケーブルに、本開示は容易に適合し得ることは理解されよう。
【００１２】
ここでストレインリリーフグロメット２２の当例示的実施形態は、エラストマ等の圧縮可能な素材で形成され得るグロメット本体２６を備える。グロメット本体２６はまた、嵌合コネクタ１４（図１に図示）近くに配置された第一グロメット端末部２８も備え得る。一方で第二グロメット端末部３０は嵌合コネクタ１４から離れて配置され得る。
【００１３】
図２において、ストレインリリーフグロメット２２は、少なくとも第一グロメット端末部２８を貫通して長手方向に延びる第一導体路３８を備える。第一導体部４２は、第一導体路３８に収納される。第一導体部４２は、第一グロメット端末部２８から、または少なくとも第一グロメット端末部２８を貫通して長手方向に延びる第一スリット４４を介して、長手方向に挿入され得る。第一スリット４４は、第一導体部４２用の第一導体路３８への半径方向のアクセスを提供し得る。
【００１４】
ここでストレインリリーフグロメット２２はまた、少なくとも第二グロメット端末部３０を貫通して長手方向に延びる第二導体路４８も備える。第一導体路３８に収納される第一導体部４２と同様に、第二導体部５０は第二導体路４８に収納され得る。第二スリット５２は、第二導体路４８への半径方向のアクセスを提供し得る。
【００１５】
当例示的実施形態において、グロメット本体２６はまた、第一及び第二グロメット端末部２８、３０間に長手方向に配置された縮径グロメット部５４も備える。第一及び第二導体路３８、４８のうち少なくとも一つは、対応する第一及び／または第二グロメット端末部２８、３０の中心に配置され得る。よってスリット４４、５２は半径方向に延び、第一及び第二導体路３８、４８への通路を提供し得る。
【００１６】
第一導体部４２が第一導体路３８に収納され、及び／または第二導体部５０が第二導体路４８に収納された後（径方向から、またはスリット４４、５２を介して）、巻き導体部５６は少なくとも一回、縮径グロメット部５４の周りに巻かれ得る。実質的なストレインリリーフを提供するために、巻き導体部５６による追加的な長さにより、第一アセンブリ端部１６における導体２４に、張力がある時に引っ張られるたるみがもたらされる。この張力は、相対的に固定された装置（図示せず）に留められたケーブルの端部で起こる曲げ、引張り、または他の力から発生し得る。
【００１７】
導体２４の一端部または両端部からの張力は、巻き導体部５６へと伝達されることが分かるであろう。張力の下、巻き導体部５６は、グロメット本体２６、特に縮径グロメット部５４を圧縮し、これにより導体２４のさらなる軸方向のねじりたわみは低減される。
【００１８】
これにより巻き導体部は、縮径グロメット部５４の周りにきつく巻かれ、縮径グロメット部５４は圧縮され、その直径はさらに小さくなる。この圧縮には、導体２４が長手方向に移動することを制限する効果がある。検証により、この組合せの引張強度は、ワイヤ自体の全体的な引張強度に近く、これにほぼ匹敵することが明らかになった。一般に他の既知のストレインリリーフ法では、このレベルにまで達しない。従って、グロメット本体２６の圧縮可能な性質に関連して、ストレインリリーフグロメット２２は、アセンブリを過度に複雑化することなく、実質的な動作の自由及び力分散を実現する。
【００１９】
図３は、グロメット本体２６の詳細図、特に、ここでは第一及び第二グロメット端末部２８、３０のほぼ中間に配置された縮径グロメット部５４を示す。縮径グロメット部５４の外部表面６０は、第一及び第二グロメット端末部２８、３０間に巻き導体部５６を保持するための螺旋状凹部６２を少なくとも一つ備え得る。４５度または約４５度の角度で溝彫りまたは形成され得る螺旋状凹部６２は、導体２４の挿入及び保持を簡単にする。さらに組み立てを単純化するために、任意で第二スリット５２を第一スリット４４に合わせて周方向に整列させてもよい。
【００２０】
特定の代替実施形態において（例えば、図４及び５）、第一及び／または第二導体路は、第一及び第二グロメット端末部間のグロメット本体のほぼ全長にわたって長手方向に貫通して延び得る。
【００２１】
図４は、グロメット本体１２６を貫通する導体１２４を同様に備える代替ストレインリリーフグロメット１２２を示す。第一実施例と同様に、グロメット本体１２６は圧縮可能な素材で形成され、かつ第一グロメット端末部１２８及び第二グロメット端末部１３０を備え得る。第一導体路１３８は、少なくとも第一グロメット端末部１２８を貫通して長手方向に延び、そして第二導体路１４８は少なくとも第二グロメット端末部１３０を貫通して延びる。第一実施例とまた同様に、第一導体部１４２は第一導体路１３８に収納され、第二導体部１５０は第二導体路１４８に収納され得る。
【００２２】
しかしながら、ここでグロメット本体１２６は縮径グロメット部を備えず、ほぼ一定の断面積部分を有する。さらに第一及び第二導体路１３８、１４８は、第一及び第二グロメット端末部１２８、１３０間のグロメット本体１２６のほぼ全長にわたって長手方向に延びる。このため、第一及び第二導体路は、長手方向に間隔を空け、かつ任意で周方向に整列して配置されるのではなく、グロメット本体１２６全体の周囲に周方向に間隔を空けて配置される。導体路１３８、１４８は長手方向の代わりに周方向に間隔を空けて配置されるため、これらはグロメット本体１２６の中心に位置しない（第一及び第二グロメット端末部１２８、１３０の中心にも位置しない）。
【００２３】
図５は、代わりに導体１２４の異なる部分が接しない状態を保つために、グロメット本体１２６の外部表面からわずかに彫られただけの導体路１３８、１４８を示す、グロメット本体１２６の断面図を示す。導体１２４を導体路１３８及び１４８へ半径方向に挿入し組立てられるように、第一スリット１４４及び第二スリット１５２はそれぞれ、少なくとも第一及び第二グロメット端末部１２８、１３０を貫通して長手方向に延び得る。
【００２４】
導体１２４が同軸アセンブリ１１０の正しい端部から確実に出るようにしながら、さらに簡単に導体１２４の追加的な長さをグロメット１２２において有するように、導体１２４はグロメット本体１２６に長手方向に奇数回数分巻かれ得る。このため、グロメット１２２は、第三導体部１６２を保持する第三導体路１６０も備え、第三導体路１６０には第三スリット１６４により導体を半径方向に挿入可能である。導体１２４の奇数回分の通過（例えば、図４では３回の通過が示される）を簡易化することは厳密に必要ではないため、グロメット本体１２６は奇数分の通路を有し得る。
【００２５】
当手法は、張力が起こるとグロメットを圧縮し、そして張力が強くなると導体が長手方向にさらに移動することを制限するのに使用されるワイヤに対したるみを与える、第一例示的実施形態と同様の様式で機能する。両例示的実施形態において、ストレインリリーフグロメットの外部のワイヤに加わる軸方向張力は、グロメット本体へ半径方向に伝達されるため、ワイヤ中心導体に最小の軸方向荷重しかかからない。加えて、外部のワイヤねじり荷重は、ストレインリリーフ機構において捕らえられるため、ワイヤ中心導体へは伝達されない。
【００２６】
可能な実施形態の検討
以下は、本開示の可能な実施形態に関する非排他的な説明である。
【００２７】
ケーブルアセンブリの実施形態は、少なくとも遮蔽導体を含むケーブルと、第一アセンブリ端部に取付けられた嵌合コネクタと、ケーブルと嵌合コネクタの間に長手方向に配置された細長いストレインリリーフグロメットとを備える。ストレインリリーフグロメットは、圧縮可能な素材で形成されたグロメット本体を備える。グロメット本体は、嵌合コネクタ近くに配置された第一グロメット端末部と、嵌合コネクタから離れて配置された第二グロメット端末部とを備える。
【００２８】
前段落のケーブルアセンブリは任意で、以下に記載の特徴、構成、及び／または追加部品のいずれか一以上を追加的に及び／または代替的に含み得る。
【００２９】
数ある中でも、少なくとも遮蔽導体を含むケーブルと、第一アセンブリ端部に取付けられた嵌合コネクタと、ケーブルと嵌合コネクタの間に長手方向に配置された細長いストレインリリーフグロメットとを備え、ストレインリリーフグロメットは圧縮可能な素材で形成されたグロメット本体を備え、グロメット本体は、嵌合コネクタ近くに配置された第一グロメット端末部と、嵌合コネクタから離れて配置された第二グロメット端末部とを備える、本開示の例示的実施形態によるケーブルアセンブリ。
【００３０】
ストレインリリーフグロメットは、少なくとも第一グロメット端末部を貫通して長手方向に延びる第一導体路をさらに備える、前述のアセンブリのさらなる実施形態。
【００３１】
ストレインリリーフグロメットは、少なくとも第一グロメット端末部を貫通して長手方向に延び、かつ第一導体路への半径方向のアクセスを提供する第一スリットをさらに備える、任意の前述のアセンブリのさらなる実施形態。
【００３２】
ストレインリリーフグロメットは、少なくとも第二グロメット端末部を貫通して長手方向に延びる第二導体路をさらに備える、任意の前述のアセンブリのさらなる実施形態。
【００３３】
第一導体路及び第二導体路のうち少なくとも一つは、対応する第一グロメット端末部及び第二グロメット端末部の半径方向中心に配置される、任意の前述のアセンブリのさらなる実施形態。
【００３４】
ストレインリリーフグロメットは、第一スリットと周方向で整列し、少なくとも第二グロメット端末部を貫通して長手方向に延び、かつ第二導体路への半径方向のアクセスを提供する第二スリットをさらに備える、任意の前述のアセンブリのさらなる実施形態。
【００３５】
グロメット本体は、第一及び第二グロメット端末部間に長手方向に配置された縮径グロメット部も備える、任意の前述のアセンブリのさらなる実施形態。
【００３６】
第一導体部が第一導体路に収納され、第二導体部が第二導体路に収納され、巻き導体部が縮径グロメット部の周りに少なくとも一回巻かれる、任意の前述のアセンブリのさらなる実施形態。
【００３７】
中央グロメット部の外部表面に、第一及び第二グロメット端末部間で巻き導体部を保持するための螺旋状凹部を少なくとも一つ備える、任意の前述のアセンブリのさらなる実施形態。
【００３８】
グロメットの実施形態は、圧縮可能な素材で形成されたグロメット本体を備える。第一導体路は、少なくとも第一グロメット端末部を貫通して長手方向に延びる。第二導体路は、少なくとも第二グロメット端末部を貫通して長手方向に延びる。
【００３９】
前段落のケーブルアセンブリは任意で、以下に記載の特徴、構成、及び／または追加部品のいずれか一以上を追加的に及び／または代替的に含み得る。
【００４０】
数ある中でも、圧縮可能な素材で形成され、かつ第一グロメット端末部及び第二グロメット端末部を含むグロメット本体と、少なくとも第一グロメット端末部を貫通して長手方向に延びる第一導体路と、少なくとも第二グロメット端末部を貫通して長手方向に延びる第二導体路とを備える、本開示の例示的実施形態によるケーブルアセンブリ。
【００４１】
第一グロメット端末部を貫通して長手方向に延び、かつ第一導体路への半径方向のアクセスを提供する第一スリットと、第二グロメット端末部を貫通して長手方向に延び、かつ第二導体路への半径方向のアクセスを提供する第二スリットとをさらに備える前述のグロメットのさらなる実施形態。
【００４２】
グロメット本体は、第一及び第二グロメット端末部間に長手方向に配置された縮径グロメット部も備える、任意の前述のグロメットのさらなる実施形態。
【００４３】
中央グロメット部の外部表面に、第一及び第二グロメット端末部間で導体を保持するための螺旋状凹部を少なくとも一つ備える、任意の前述のグロメットのさらなる実施形態。
【００４４】
第一導体路に収納された第一遮蔽導体部と、第二導体路に収納された第二遮蔽導体部と、縮径グロメット部の周りに少なくとも一回巻かれた巻き遮蔽導体部とをさらに備える任意の前述のグロメットのさらなる実施形態。
【００４５】
第一導体路及び第二導体路のうち少なくとも一つは、第一及び第二グロメット端末部間のグロメット本体のほぼ全長にわたって長手方向に延びる、任意の前述のグロメットのさらなる実施形態。
【００４６】
具体例としての実施形態（複数可）を参照し本発明は説明されてきたが、本発明の範囲から逸脱することなく、様々な変更が加えられ、かつその構成要素が均等物により置き換えられ得ることは、当業者には理解されよう。さらに、特定の状況または材料を本発明の教義に適合させるために、本発明の本質的範囲から逸脱することなく、数多くの改良が行われてもよい。そのため、本発明は開示された特定の実施形態（複数可）に限定されず、本発明は添付の請求範囲に含まれる全ての実施形態を含むものとする。
【図１】
0006760735.tif 000002
【図２】
0006760735.tif 000003
【図３】
0006760735.tif 000004
【図４】
0006760735.tif 000005
【図５】
0006760735.tif 000006